(57)【要約】  開口部の設けられたパネル上でブラインドマウントを行うための留め具が、軸方向中空部と、パネルに保持するための足部（２１）とを有した本体を具備する。留め具（１）は、更に、中空部に挿入するようにした指部（２）を具備する。足部（２１）は２つの脚部（３１）を具備し、該脚部の各々はフラップ部（３２）とブレース部材（３３、１３３、２３３）とを含み、フラップ部（３２）の各々は、ヒンジ部（３４）の周りを揺動するようになっており、脚部（３１）の各々のは、該脚部のフラップ部（３２）が、他方の脚部（３１）のフラップ部（３２）と向い合い、該脚部のブレース部材（３３）が、該の脚部のヒンジ部（３４）の方向と、他方の脚部（３１）の方向とに配向される退避位置と、該脚部のフラップ部（３２）が、退避位置に対して外側に揺動した伸張位置とを取ることができ、指部（２）を本体（３）に挿入すると、脚部（３１）が退避位置から伸張位置となる。
2009545711.tif 000002
【特許請求の範囲】
【請求項１】
開口部（５２、１５２）の設けられたパネル（５１、１５１）上でブラインドマウントを行うための留め具であって、
軸方向中空部（２７、１２７、２２７、３２７、４２７）を有するプラスチック材料製本体（３、１０３、２０３、３０３、４０３）を具備し、前記本体が、前記開口部（５２、１５２）の周囲を受承するカラー部（３５、１３５、２３５、３３５、４３５）と、前記開口部（５２、１５２）内を通るように構成され、前記本体（３、１０３、２０３、３０３、４０３）を前記パネル（５１、１５１）に保持するための足部（２１、１２１、２２１）とを備え、
前記留め具（１、１０１、２０１、３０１、４０１）は、更に、指部（２、１０２、２０２、３０２、４０２）を具備しており、該前記指部を前記中空部（２７、１２７、２２７、３２７、４２７）に挿入して、前記留め具（１、１０１、２０１、３０１、４０１）が、前記パネル（５１、１５１）に固定される係止位置を取るようにした留め具において、
前記足部（２１、１２１、２２１）が、２つの脚部（３１、１３１、２３１、３３１、４３１）を具備しており、該脚部が、それぞれフラップ部（３２、１３２、２３２、３３２、４３２）とブレース部材（３３、１３３、２３３）とを含み、
前記フラップ部（３２、１３２、２３２、３３２、４３２）は、該フラップ部を前記足部（２１、１２１、２２１）の他の部分に連結するヒンジ部（３４、１３４、２３４、３３４、４３４）の周りを揺動するようになっており、
前記脚部（３１、１３１、２３１、３３１、４３１）の各々の前記ブレース部材（３３、１３３、２３３）は先端部（４５、１４５、２４５）を有し、
各脚部（３１、１３１、２３１、３３１、４３１）が、
該脚部のフラップ部（３２、１３２、２３２、３３２、４３２）が、他方の脚部（３１、１３１、２３１、３３１、４３１）のフラップ部（３２、１３２、２３２、３３２、４３２）と向い合い、該脚部のブレース部材（３３、１３３、２３３）が、該の脚部のヒンジ部（３４、１３４、２３４、３３４、４３４）の方向と、前記他方の脚部（３１、１３１、２３１、３３１、４３１）の方向とに配向され、該脚部のブレース部材（３３、１３３、２３３）が前記フラップ部（３２、１３２、２３２、３３２、４３２）間において、他方の脚部（３１、１３１、２３１、３３１、４３１）のブレース部材（３３、１３３、２３３）に対して重なり合った退避位置と、
該脚部のフラップ部（３２、１３２、２３２、３３２、４３２）が、前記退避位置に対して外側に揺動した伸張位置とを取ることができ、
前記指部（２、１０２、２０２、３０２、４０２）を前記本体（３、１０３、２０３、３０３、４０３）に挿入すると、前記脚部（３１、１３１、２３１、３３１、４３１）が前記退避位置から前記伸張位置となり、
前記指部（２、１０２、２０２、３０２、４０２）が、前記中空部（２７、１２７、２２７、３２７、４２７）に挿入され前記係止位置となったとき、各ブレース部材（３３、１３３、２３３）の前記先端部（４５、１４５、２４５）が前記指部に接し、これにより前記脚部（３１、１３１、２３１、３３１、４３１）の各々が前記伸張位置に保持されることを特徴とした留め具。
【請求項２】
前記ブレース部材（３３、１３３、２３３）が、前記フラップ部（３２、１３２、２３２、３３２、４３２）に直角な正中面（Ｐ）の対向する側にそれぞれ配置されることを特徴とした請求項１に記載の留め具。
【請求項３】
前記脚部（３１、１３１、２３１、３３１、４３１）の各々について、退避位置にある他方の脚部（３１、１３１、２３１、３３１、４３１）のヒンジ部（３４、１３４、２３４、３３４、４３４）の近傍に前記先端部（４５、１４５、２４５）が配置されることを特徴とした請求項１または２に記載の留め具。
【請求項４】
前記脚部（３１、１３１、２３１、３３１、４３１）が、それぞれの退避位置にあるとき、前記ブレース部材（３３、１３３、２３３）の各々が、前記中空部（２７、１２７、２２７、３２７、４２７）の軸方向に直角な支承面（４６、１４６、２４６）を前記先端部（４５、１４５、２４５）に有し、前記指部（２、１０２、２０２、３０２、４０２）が、前記本体（３、１０３、２０３、３０３、４０３）内に挿入されると前記支承面（４６、１４６、２４６）に受承されることを特徴とした請求項１〜３の何れか１項に記載の留め具。
【請求項５】
前記ブレース部材（３３、１３３、２３３）が延在する基面となる表面（４１）と反対側の表面（４０）が、前記各フラップ部（３２、１３２、２３２、３３２、４３２）の上で凸状に隆起した形状であることを特徴とした請求項１〜４の何れか１項に記載の留め具。
【請求項６】
前記指部（２）が２つの長手方向肩部（１０）を有し、該肩部は２つの対向する表面上に配置され、前記指部（２）が前記本体（３）内に挿入される間に前記先端部（４５）の並進移動を案内するように構成されていることを特徴とした請求項１〜５の何れか１項に記載の留め具。
【請求項７】
前記足部（１２１）が、前記脚部（１３１）を退避位置に維持する手段を含むことを特徴とした請求項１〜６の何れか１項に記載の留め具。
【請求項８】
前記維持する手段が、前記中空部（１２７）の周囲に配置され互いに向き合う２つのプレート部（１３６）を含み、前記プレート部（１３６）の各々は、退避位置にある２つの前記脚部（１３１）の間に直角に配置されることを特徴とした請求項７に記載の留め具。
【請求項９】
前記維持する手段が、前記ブレース部材（１３３）の各々に設けられた歯（１６０）と、前記プレート部（１３６）に設けられた返し部（１３８）とを更に含み、これにより前記ブレース部材（１３３）が各々対応する前記プレート部（１３６）にスナップ係合するように構成されていることを特徴とした請求項８に記載の留め具。
【請求項１０】
前記脚部（１３１）が、強制されていないときは伸張位置にあることを特徴とした請求項７〜９の何れか１項に記載の留め具。
【請求項１１】
前記指部（２、１０２、２０２、３０２、４０２）がプラスチック材料製であることを特徴とした請求項１〜１０の何れか１項に記載の留め具。
【請求項１２】
前記本体（３、１０３）が、頭部（２０、１２０）を有し、該頭部が、前記カラー部（３５、１３５）と、開口部を有する表面（２６、１２６）とを含み、該開口部が前記中空部（２７、１２７）に通じており、前記指部（２、１０２）が、前記中空部（２７、１２７）に挿入された際、前記頭部（２０、１２０）と同じ端にある前記指部（２、１０２）の端の表面（５、１０５）が、前記頭部（２０、１２０）の前記表面（２６、１２６）と実質的に面一になることを特徴とした請求項１〜１１の何れか１項に記載の留め具。
【請求項１３】
前記足部（２２１、３２１、４２１）が、前記カラー部（２３５、３３５、４３５）から延び前記中空部（２２７、３２７、４２７）を形成する環状壁（２７０、３７０、４７０）を含むことを特徴とした請求項１〜１２の何れか１項に記載の留め具。
【請求項１４】
前記指部（２０２、３０２、４０２）の前記本体へのスナップ係合手段を備え、前記スナップ係合手段が前記指部（２０２、３０２、４０２）に設けられたビード部（２８８、３８８、４８８）と、前記環状壁（２７０、３７０、４７０）の切頭円錐部分（２７１、３７１、４７１）とを含み、前記足部（２０２、３０２、４０２）の挿入に際し、前記部分（２７１、３７１、４７１）が変形可能で前記ビード部（２８８、３８８、４８８）が通過できるようになっていることを特徴とした請求項１３に記載の留め具。
【請求項１５】
前記脚部（２３１、３３１、４３１）のそれぞれを前記伸張位置から前記退避位置に駆動するレバー（２７６、３７６、４７６）を更に含み、前記レバー（２７６、３７６、４７６）が前記フラップ部（２３２、３３２、４３２）の切欠部（２７５、３７５、４７５）内に延び、前記ヒンジ部（２３４、３３４、４３４）の一部から出ており、前記レバー（２７６、３７６、４７６）が前記フラップ部（２３２、３３２、４３２）の面内を前記ヒンジ部（２３４、３３４、４３４）と直角かつこれを越えるように延設されていることを特徴とした請求項１３または１４に記載の留め具。
【請求項１６】
前記指部（２０２、３０２、４０２）が、前記脚部（２３１、３３１、４３１）のそれぞれに向き合う陥凹部（２９２、３９２、４９２）を含み、前記指部（２０２、３０２、４０２）を引き抜く際に、前記脚部（２３１、３３１、４３１）の退避位置に向けて前記レバー（２７６、３７６、４７６）を駆動するように該陥凹部の壁の１つが構成されていることを特徴とした請求項１５に記載の留め具。
【請求項１７】
前記退避位置において、前記フラップ部（３３２、４３２）が、それぞれ前記環状壁（３７０、４７０）の窓状切欠部内に配置されることを特徴とした請求項１３〜１６の何れか１項に記載の留め具。
【請求項１８】
前記指部（３０２）が、スタッド（３９６）を含み、更に前記環状壁（３７０）が、前記本体（３０３）の軸方向に延びる開口（３９７）を含み、前記開口（３９７）と前記スタッド（３９６）とが、前記本体（３０３）中における前記指部（３０２）の並進移動を案内するように構成されている切り込み請求項１３〜１７の何れか１項に記載の留め具。
【発明の詳細な説明】
【技術分野】
【０００１】
本発明は一般に、開口部の付いたパネルにブラインドマウントを行うための留め具に関する。
【背景技術】
【０００２】
保持脚部によって自身がパネルに固定されるような留め具が知られている。
特にＦＲ２７７６３４５に開示されるこのような留め具の１つは、軸方向中空部を有するプラスチック材料製の本体を備えている。この本体はパネル開口部の周囲を支えるカラー部と、前記開口部を通るように構成され本体をパネル上に保持する足部とを含む。この足部は複数の脚部、特に保持脚部を含み、これらの脚部は、非作動時にバレル型となっている。またこの留め具は指部を含み、この指部は前記中空部に挿入され、留め具をパネルに固定するように構成されている。指部を挿入すると、保持脚部の先端部が分離して留め具がパネル上に固定されるが、この際パネルは支承カラー部と保持脚部の先端部との間に保持される。
【０００３】
その締め付け力はパネル開口部の周囲部分に集中し、これを作用させるには保持脚部を開口部の周囲部分に押し付けることが必要である。
【先行技術文献】
【特許文献】
【０００４】
【特許文献１】フランス国特許公開第２７７６３４５号明細書
【発明の概要】
【発明が解決しようとする課題】
【０００５】
本発明は、この種の留め具の性能を改善することを目的とする。
【課題を解決するための手段】
【０００６】
そのため本発明は、開口部の設けられたパネル上でブラインドマウントを行うための留め具を提供する。この留め具は、軸方向中空部を有するプラスチック材料製本体を具備し、該本体は前記開口部の周囲を受承するカラー部と、前記開口部内を通るように構成され前記本体を前記パネル上に保持するための足部とを備え、前記留め具は、更に、指部を具備しており、該指部を前記中空部内に挿入して、前記留め具が前記パネルに固定される係止位置を取るようした留め具において、
前記足部は２つの脚部を備え、該脚部が、それぞれフラップ部とブレース部材とを含み、前記フラップ部は該フラップ部を前記足部の他の部分に連結するヒンジ部の周りを揺動するようになっており、
前記脚部の各々の前記ブレース部材は先端部を有し、各脚部は、該脚部のフラップ部が他方の脚部のフラップ部と向い合い、該脚部のブレース部材が該脚部のヒンジ部の方向と、他方の脚部の方向に配向され、該脚部のブレース部材が前記フラップ部間において、他方の脚部のブレース部材に対して重なり合った退避位置と、該脚部のフラップ部が前記退避位置に対して外側に揺動した伸張位置とを取ることができ、
前記指部を前記本体に挿入すると、前記脚部が前記退避位置から前記伸張位置となり、前記指部が前記中空部に挿入され前記係止位置となったとき、各ブレース部材の前記先端部が前記指部に接し、これにより前記脚部の各々が前記伸張位置に保持されるようにしたことをすることを特徴としている。
【０００７】
指部を本体の中空部に押し込む際、ブレース部材の端にある指部を押すことにより、足部の残り部分に各脚部を連結するヒンジ部の変形によって各脚部が揺動する。この変形は適度な押し込み力を加えるだけで起こるので、留め具の取り付け操作が手動、自動を問わず容易になる。留め具は、脚部を退避位置にしてパネルに固定される。
【０００８】
留め具に抜き取り力が加えられると、このような力はパネルからフラップ部に掛かるが、このフラップ部の位置は指部および、指部とフラップ部との間を延びるブレース部材の存在によって係止される。故に、得られる保持力は著しく高い。このため、本体からの留め具の引き抜き力が加わっても抜け落ちを防止することができる。
【０００９】
製造者および使用者いずれの観点からも非常に容易かつ簡便に実施できる特徴は以下の通りである。
−前記ブレース部材が前記フラップ部に直角な正中面の対向する側部に配置されている、および／または
−前記脚部のそれぞれについて、退避位置にある他方の脚部のヒンジ部の近傍に前記先端部が配置されている、および／または
−前記脚部がそれぞれの退避位置にあるとき、前記先端部において、前記ブレース部材が前記中空部の軸方向に直角な支承面をそれぞれ有し、前記指部が前記本体内に挿入されると前記支承面に受けられる、および／または
−前記フラップ部の各々の上で前記ブレース部材が延びる基面となる表面と反対の表面が凸状に隆起した形状である、および／または
− 前記指部が２つの長手方向肩部を有し、該肩部は２つの対向する表面上に配置され前記指部が前記本体内に挿入される間に前記先端部の並進移動を案内するように構成されている、および／または
−前記足部が、前記脚部を退避位置に維持する手段を含む、そして必要に応じて、
−前記維持する手段が、前記中空部の周囲に配置され互いに向き合う２つのプレート部を含み、前記プレート部はそれぞれ退避位置にある２つの前記脚部の間に直角に配置される、そして必要に応じて、
−前記維持する手段が、前記ブレース部材の各々に設けられた歯と、前記プレート部の返し部とを更に含み、これにより前記ブレース部材がそれぞれ対応する前記プレート部にスナップ係合すように構成されている、および／または
−前記脚部が、強制されていないときは伸張位置にある、および／または
−前記指部がプラスチック材料製である、および／または
−前記本体が頭部を有し、該頭部が前記カラー部と、開口部を有する表面とを含み、該開口部が前記中空部に通じており、前記指部が前記中空部に挿入された際、前記頭部と同じ端にある前記指部の端の表面が前記頭部の前記表面と実質的に面一になる、および／または
−前記足部が、前記カラー部から延び前記中空部を形成する環状壁を含み、そして必要に応じて、前記留め具が前記指部の前記本体へのスナップ係合手段を備え、前記スナップ係合手段が前記指部に設けられたビード部と、前記環状壁の切頭円錐部分とを含み、前記足部の挿入に際し、前記部分が変形可能で前記ビード部が通過できるようになっている、および／または
−前記脚部のそれぞれを前記伸張位置から前記退避位置に駆動するレバーを更に含み、前記レバーが前記フラップ部の切欠部内に延び、前記ヒンジ部の一部から出ており、前記レバーが前記フラップ部の面内を前記ヒンジ部と直角かつこれを越えるように延びる、そして必要に応じて、
−前記指部が前記脚部のそれぞれに向き合う陥凹部を含み、前記足部を引き抜く際に、前記レバーを前記脚部の退避位置に向けて駆動するように該陥凹部の壁の１つが構成されている、および／または、前記退避位置において、前記フラップ部がそれぞれ前記環状壁の窓状切欠部内に配置される、および／または
−前記指部がスタッドを含み、更に前記環状壁が前記本体の軸方向に延びる開口を含み、前記開口と前記スタッドとが 前記本体中における前記指部の並進移動を案内するように構成されている。
【図面の簡単な説明】
【００１０】
【図１】本発明による留め具の斜視図であって、指部が本体に挿入されていない状態を示す図である。
【図２】図１の留め具の側面図であって、指部が本体に部分的に挿入された状態を示す図である。
【図３】留め具の図２における矢視線III−IIIに沿う断面図である。
【図４】本体を足部端からみた平面図である。
【図５】留め具の側面図であって、左側は指部が部分的に挿入され脚部が退避位置にある状態を示し、右側は指部が係止位置にあり脚部が伸張位置にある状態を示すもので、図示の方向から見た本体部分は指部全体を示す断面となっている。
【図６】本発明による留め具の第１変形例の斜視図であって、本留め具は脚部の間に２つのプレート部を備え、該プレート部が脚部を退避位置に保持するようになっており、指部は本体に挿入されていない状態を示す図である。
【図７】留め具本体の側面図であって、脚部が伸張位置にある状態を示す図である。
【図８】図７の矢視線VIII-VIIIに沿う留め具の断面図である。
【図９】図８の矢視線IX-IXに沿う留め具の断面図である。
【図１０】留め具の本体を足部端からみた平面図である。
【図１１】図６〜図１０に示した留め具について示した図５と同様な図である。
【図１２】成形された留め具の付いた成形型の模式的断面図である。
【図１３】本発明による留め具の他の変形例の斜視図であって、該留め具の各脚部は各々を伸張位置から退避位置に駆動するためのレバーを備え、指部と本体とが互いにスナップ係合手段を備えている。
【図１４】支承カラー部側から見た留め具本体の斜視図である。
【図１５】足部端から見た留め具本体の斜視図である。
【図１６】留め具の指部の斜視図である。
【図１７】図１３の矢視線XVII-XVIIに沿う留め具の断面斜視図である。
【図１８】図１３の矢視線XVIII-XVIIIに沿う留め具の断面斜視図である。
【図１９】図１３の矢視線XIX-XIXに沿う留め具の断面斜視図である。
【図２０】脚部を伸張位置にした留め具の斜視図である。
【図２１】留め具の他の変形例の斜視図であって、指部が部分的に挿入された状態を示す図である。
【図２２】留め具の指部の斜視図である。
【図２３】留め具の他の変形例の斜視図であって、指部が部分的に挿入された状態を示す図である。
【図２４】留め具の指部の斜視図である。
【発明を実施するための形態】
【００１１】
以下、本発明の特徴および利点を図面を参照して説明する。ただし、これらは好適な例を示すもので限定を意図するものではない。
【００１２】
プラスチック材料の成形品である留め具１は、指部２と本体３とを具備する。
指部２は細長い平行六面体形状のスタッドを形成する。指部は正方形の断面を形成する輪郭を有した第１の部分４を含む。この部分４は端面５を有した端部を有する。部分４の外周面において端面５の近傍にはチャネル６が延設されている。
【００１３】
前記端部から離反させて、指部２には第２の部分７が形成されている。部分４、７の間には、チャネル６と同様なチャネル８が設けられている。
【００１４】
チャネル６、８は、指部２の軸方向に直角な平行面内に配置されている。この軸方向は指部２の中心軸線９に平行である。また指部２は中心軸線９に対して軸対称となっている。
【００１５】
部分７は、その２つの側面に返し部１０を有している。各返し部１０は、返し部１０が設けられている側面の長手の縁部１１の近傍において、部分７の全長にわたって延設されている。
【００１６】
部分７において返し部１０を設けた側面には、返し部１０と縁部１１との間に位置する領域１４から後退した領域１３をそれぞれ含む。領域１４は領域１３よりかなり狭い。
【００１７】
部分７は、端部５から離反した位置の先端部１５を含む。先端部１５の表面と領域１３の各々との間の縁部は丸められている。
【００１８】
後退した領域１３を設けているが、中心軸線９に直角な面における指部２の概略的な大きさは部分４の断面に相当する。
【００１９】
本体３は一体成形品であって、頭部２０と足部２１とを備える。本体３は主中心軸線２２を有する。
【００２０】
頭部２０は、同軸円筒状の部位２３、２４を含み、該部位は互いに連結されている。部位２３は部位２４よりやや大きな直径を有しており、部位２３と部位２４との間には肩部２５が形成される。また部位２３の肩部２５と反対の端には端面２６が形成されている。端面２６と部位２３の側面との間の縁部は丸められている。
【００２１】
頭部２０には正方形の断面の中空部２７が貫通しており、この矩形断面の長手方向の主軸は、指部２が中空部２７に挿入された際に軸２７と一致する。頭部２０における中空部２７の深さは、実質的に指部２の部分７の長さと実質的に一致する。
【００２２】
中空部２７が端面２６に現れる部分の開口部の近傍において、該中空部には、半円形の断面を有したリブ２８が中心軸線２２と直角な面内で延設されている。このリブ２８は、対応の雌形部分とスナップ式に係合する雄形部分に相当する。雌形部分はチャネル８或いはチャネル６となろう。
【００２３】
足部２１は、支持部３０と脚部３１とを更に備える。
各脚部３１は、フラップ部３２とブレース部材３３とを含む。脚部３１は、ヒンジ部３４によって支持部３０に連結されている。
【００２４】
支持部３０は正方形を呈し、かつ、部位２４に設けられている。中空部２７は、支持部３０の部位２４の反対側の端部に開口するまで支持部３０を貫通している。
【００２５】
支持部３０は中心軸線２２に中心位置決めされ、その辺は、部位２４の直径よりも短くなっている。
【００２６】
部位２４の側面と支持部３０との間に支承カラー部３５が設けられている。該カラー部は、部位２４の側面と支持部３０とを区分けする肩部によって形成される。支承カラー部３５は、円形の外側縁部と正方形の内側縁部とを有する。２つのヒンジ部３４が、支持部３０の２つの側面に沿って支承カラー部３５から離反方向に突出している。
【００２７】
以下、ヒンジ部３４を備えた脚部３１を説明する。
ヒンジ部３４は薄く形成され、かつ、支持部３０の辺の実質的な全長にわたって延在している。またヒンジ部３４は、他の方向において中心軸線２２と平行に支持部３０の高さと等しい長さにわたって延びている。
【００２８】
図１、２に示すように、フラップ部３２がヒンジ部３４から先に延びている。
フラップ部３２は、外側表面４０と内側表面４１と有した航空機の翼状の部位を有する。外側表面４０は凸状のドーム形であり、内側表面４１は凹状のドーム形となっている。フラップ部は隣接するヒンジ部３４よりやや厚い。
【００２９】
フラップ部３２の内側表面４１からブレース部材３３が形成される。
ブレース部材３３は、平面Ｐによって規定される半分の空間内に突出している。平面Pは本体３の中心軸線を含みヒンジ部３４に直角となっている。
【００３０】
ブレース部材３３は、フラップ部３２と同等の厚さを有する主要部を含む。該主要部は、フラップ部３２の内側表面４１におけるヒンジ部３４の直近から形成され、フラップ部３２に対して直角に反対側のフラップ部３２に向かって延びている。またブレース部材３３は、中心軸線２２に対して傾斜しながら支持部３０に向かって突出した部分を有している。この突出部分は主として２つのヒンジ部３４の間に配置される。
【００３１】
ブレース部材３３の先端部４５は、頭部２０の支持部３０に対面して設けられた支承面４６を有する。この支承面４６は中心軸線２２に対して直角に配向されている。
支承面４６は中空部２７の端に配置されている。
【００３２】
ブレース部材３３には、平面Ｐに隣接せさて、フランジ状の補強部４７が設けられている。該補強部は、ブレース部材３３の先端部４５からフラップ部３２の先端部に向かって延在しており、補強部４７を含む平面内において、脚部３１が概ね三角形を形成するようになっている。該三角形は、その第１辺がブレース部材３３にあり、第２辺がフラップ部３２にある。
【００３３】
ブレース部材３３において平面Ｐの反対側には、ヒンジ部３４およびフラップ部３２の側面と同一面内にある側面５０が形成される。
【００３４】
他方のブレース部材３３も同様に構成されており、各ブレース部材３３は、中心軸線２２まわりに軸対称関係となっている。図２に示す方向から本体３を見ると、各ブレース部材３３は互いに前後に重なり合って中心軸線２２で交差している。つまり、第１のブレース部材３３が平面Ｐの手前に位置する一方、第２のブレース部材３３がこの面の奥側に位置するように見える。
【００３５】
図１、２の脚部３１は退避位置に配置されている。図５の右側には、指部２が中空部２７に挿入されている係止位置となったときの脚部３１の伸張位置が示されている。
【００３６】
この位置では、フラップ部３２とブレース部材３３は、退避位置と同じ相対位置に維持されている。脚部３１全体が９０°回転し、ヒンジ部３４が折りたたまれ、フラップ部３２の外側表面４０が支承面３５と対面関係になっている。そして支承面４６は中心軸線２２と平行な面に配置されている。
【００３７】
以下、指部２の本体３への挿入について説明する。
指部２が本体３の外部にある場合、脚部３１は退避位置にある（図１）。中心軸線９と中心軸線２２とを合致させ、指部２を中空部２７に近づけると、指部２を矩形の中空部２７に挿入できるようになる。後退領域１３を、フラップ部３２と平行な面に沿うように配向する。次いで、リブ２８がチャネル８に係合するまで指部２が中空部２７に挿入される（図３）。このとき、指部２は係合前位置にあり、脚部３１はまだ退避位置にある。
【００３８】
指部２を更に挿入すると、チャネル８とリブ２８とが分離し、表面１５がブレース部材３３の支承面４６と接触する。更に指部２を押し続けると、ヒンジ部３４が折りたたまれてブレース部材３３が後退するような推力がブレース部材３３に作用する。
【００３９】
ブレース部材３３の側面５０の先端が返し部１０に接触するまで、支承面４６は、表面１５と領域１３との間の丸められた表面に沿って摺動する。この動作の間、ヒンジ部３４が折りたたまれ、脚部３１は、支承面４６が領域１３と接触するまで９０°回転する。
【００４０】
返し部１０に沿ってブレース部材３３を案内しながら指部２は挿入可能であり、ブレース部材が、縁部１１まで横断方向に移動したり、或いは、該縁部を越えたりすることはない。こうして、ブレース部材３３が隣接する指部２を通過させ、脚部３１が退避位置の近傍位置に戻るようになる。
【００４１】
更に挿入すると、チャネル６がリブ２８とスナップ係合する。
端面５は端面２６と面一となり、指部２は本体３内部でスナップ係合し、脚部３１はフラップ部３２と支承面３５とが互いに向かい合った退避位置となる。指部２の高さは、脚部が退避位置にあるときのフラップ部３２の先端部から端面２６までの距離に一致する。留め具１はツーピース、すなわち指部２と本体３とに成形される。なお、本体３は、脚部を退避位置にして成形される。
【００４２】
留め具１は、支持部３０の寸法に対応した寸法を有した正方形の開口部５２を含むパネル５１に取り付けられるようになっている。
【００４３】
留め具１をパネル５１に取り付ける際には、まず指部２を本体３内に配置して指部２が係合前位置となるようにする。このとき脚部３１は退避位置にある。
【００４４】
脚部３１を先にして留め具１をパネル５１の開口部５２に押し込み、支承カラー部３５がパネル５１の外側表面５３を支承するようにする。
【００４５】
そして指部２を押し込むと、すでに示したように、脚部３１が伸張位置となり、それらの外側表面４０がパネル５１の表面５３とは反対側の表面５４と接触する。
【００４６】
脚部３１のドーム形状は表面が平らではないパネルにも適しており、いずれの表面形状のパネル５１に対しても留め具が常に十分固定されるようになっている。
【００４７】
図示した実施形態では、指部２がその係止位置に係合され、留め具１がパネル５１に固定されると、端面５が端面２６の高さと面一となり、指部２を本体３から引き抜くことができなくなる。従って、この留め具１は取り外しできない。
【００４８】
留め具を引き抜こうとすると、表面５４からフラップ部３２の表面４０に力が作用する。この力はブレース部材３３を介して指部２に伝えられる。このとき指部２の存在により脚部３１を退避位置に復帰させることができない。更にフラップ部３２は広いので、フラップ部３２に加えられる圧力は穴の幅全体にわたって分散され、これによってもフラップ部がパネル５１上に確実に保持される。
【００４９】
自動車用パネルに用いる場合、留め具１、特に部位２４の周囲、は荷物棚に接続されたコードの輪を固定するのに役立つ。荷物棚はトランクの後部空間を覆い、自動車ハッチの開け閉めに応じて揺動するもので、この荷物棚は留め具１に掛けられたコードを介して引っ張られたり解放されたりする。
【００５０】
図６〜図１１を参照して留め具の変形例を説明する。
この変形例では、上記部品と同様の部品は、記述の実施形態の符号に１００を付して示されている。
【００５１】
指部１０２の部分１０７は部分１０４と同一の正方形断面を有しているが、上述の返し部が設けられていない。先端部１１５の表面と隣接表面との間の縁部は丸められている。
【００５２】
支持部１３０は、部位１２４とヒンジ部１３４との間に配置された２つの部分を備え、該２つの部分の間で支持部１３０は不連続になっている。支持部１３０は、該支持部の他の部分と同一高さの２つのプレート部１３６を有している。
【００５３】
各プレート部１３６は中空部１２７に沿って延び、互いに向き合うとともに、２つの支持部１３０の間で該支持部に連結されることなく延びている。
【００５４】
各プレート部１３６の内側表面１３７には、溝部１３８が、本体１０３の中心軸線に対して横断方向に延設されている。
【００５５】
各溝部１３８は、表面１３７の一方の縁部から反対側の縁部に向かって、該２つの縁部の間の距離の半分より僅かに長い距離だけ延びている。
【００５６】
各溝部１３８は、反対側のプレート部１３６の表面１３７において溝部１３８が形成されていない部分に対面するように配置されている。
【００５７】
各ブレース部材１３３は、その端部１４５において、表面１５０から突出する小さな平行六面体形の歯１６０を含んでいる。
【００５８】
溝部１３８は、ブレース部材１３３の歯１６０と係合するようになっている。各溝部１３８は、脚部１３１が退避位置にあるとき、溝部１３８と向き合うように配置される２つの歯１６０の一方と係合する。
【００５９】
表面１３７の先端の縁部に沿って、歯１６０とスナップ係合するための斜面を形成する面取部分１６１が設けられている。
【００６０】
本体１０３は脚部１３１を伸張位置にして成形される。指部１０２は、本体１０３と一体成形することも可能である。
【００６１】
この場合、指部１０２は、本体１０３と同じ中心軸線に沿って配置される。脆弱な架橋部によって、指部１０２と本体１０３とが表面１２６で連結される。先端部１１５は、本体１０３の外に僅かに突出する。
【００６２】
脚部１３１が伸張位置に成形されるため、型部分１６２は、指部１０２が中空部１２７を占める先端部１１５の表面のレベルまでとすることができる（図１２）。脚部１３１、支持部１３０および各部位１２４、１２３を成形するために、開口部を有したスライド部材１６３と２枚のプレート部材１６４、１６５が準備される。
【００６３】
留め具１を型から分離するために、スライド１６３が取り外され、次いで、プレート部材１６５が取り外される。
【００６４】
次いで、プレート部材１６４の開口を通過させることにより本体１０３が取り出される。脚部１３１が初めに伸張位置にあることと、プレート部材１６４の支持部１３０を成形するために設けられた側の開口寸法とにより、本体１０３を引き抜く際、脚部１３１は、ヒンジ部１３４を中心に強制的に揺動される。脚部１３１が前記開口を通過するために、脚部は伸張位置から９０°揺動する、すなわち脚部は一旦、退避位置に移動する必要がある。
【００６５】
揺動動作が終わると、歯１６０は、プレート部１３６、より具体的には面取部分１６１と接触し溝部１３８とスナップ係合するまで上昇する。
【００６６】
本体１０３が型から分離されると、脚部１３１は歯１６０の溝部１３８とスナップ係合して退避位置のままとなる。
【００６７】
留め具１０１のパネル１５１への固定は前述と同様に行われるが、本体１０３の中心軸線に沿って指部１０２が本体１０３と共に成形されている場合、指部１０２を押すだけで脆弱な架橋部が破断し、指部１０２が係合前位置になるまで、指部１０２を中空部１２７内に押入可能な点において異なっている。この工程は、留め具１０１をパネル１５１で用いる前に実施してもよい。
【００６８】
先端部１１５の表面がブレース部材１３３の表面１４６と接触すると、ブレース部材１３３が指部１０２を支承するようになるので、歯１６０が溝部１３８から解放され、脚部１３１が伸張位置へ揺動、移動する。この揺動動作は非常に簡単である。と言うのは、それは伸張位置が脚部１３１の成形される位置であり、この位置は脚部１３１の静止位置、すなわちプレート部１３６上のブレース部材１３３によるスナップ係合タイプの拘束がなければ、これらの脚部が自然に配置される位置に相当するためである。
【００６９】
留め具１０１は、指部１０２がブレース部材１３３を介してフラップ部１３２をパネル１５１に対し保持することによって、また、上記位置が脚部の成形位置に相当することによって、この位置で係止される。こうして、脚部１３１を伸張位置から退避位置にするよう留め具１０１に印加される力は、指部１０２によって作用する保持力と、脚部１３１が伸張位置に向かう力とによって対抗される。
【００７０】
上記実施形態の更に他の変形例を図１３〜図２０に示す。この変形例では同様の構成要素には、図１〜図５に示した留め具の番号に２００を加えた番号が付されている。
【００７１】
留め具２０１は指部２０２と本体２０３とを具備する。留め具２０１は概ね長円形状を呈している。
【００７２】
頭部２２０は、一端に端面２２６を有する支承カラー部２３５を含む。支承カラー部２３５は中空部２２７の周りを環状に延びる。カラー部２３５は足部２２１に向かってやや傾斜している。環状の側壁２７０は、表面２２６の反対側の表面から突出している。カラー部２３５と壁２７０は同一の長円形輪郭から突出している。
【００７３】
側壁２７０は支持部２３０を含んでいる。該支持部は、支承カラー部２３５の幅と同程度の所定高さで本体２０３の中心軸線２２２の方向に突出している。
【００７４】
支持部２３０には２つの半円筒状部分が対設されている。該半円筒状部分の各々において支承カラー部２３５の反対側の端部には、半切頭円錐部分２７１が設けられている。各部分２７１は、その中心軸線を通過する平面で切断された半錐台形となっている。
【００７５】
該部分２７１は切欠部２７２を有しており、該切欠部は、部分２７１の先端部まで実質的に錐台の全高にわたって延設されており、これによって該部分は、同一寸法の２つのタブ２７３に分割される。こうして、各タブ２７３は多少変形できるようになっている。
【００７６】
上記２つの部分２７１は互いに対面し、そして支持部２３０の半円筒状部分から突出している。
【００７７】
これら半円筒状部分の間で、支持部２３０は高さがやや低い２つの直線部を有している。これらの直線部分からヒンジ部２３４が突出しており、その端に脚部２３１が設けられている。
【００７８】
脚部２３１は互いに対設されており、該脚部が退避位置にあるとき、ブレース部材２３３は中心軸線２２２を通る脚部２３１の正中面の両側にそれぞれある。
【００７９】
本体２０３は各脚部２３１の部分に切欠部２７５を含む。各切欠部２７５は、フラップ部２３２からヒンジ部２３４を通り支持部２３０まで延設され、そして表面２２６に開口している。
【００８０】
切欠部２７５内には、駆動レバー２７６が延設されている。該駆動レバーは、正方形の断面を有し直線状に形成されており、フラップ部２３２の表面２４１から表面２２６へ向かって延設され、該表面から少し突出している。
【００８１】
中空部２２７は中心軸線２２２と直角の方向に長円形断面を有し、該断面は、部分２７３によって、表面２２６から離反方向に漸次小さくなる。
【００８２】
指部２０２は頭部２７７を備えている。該頭部の端面の中心部には肉厚部２７８が設けられており、該肉厚部には、鍵状断面を有する有底状の穴２７９が形成されている。該端面には、突出する２つの延長部２８０が設けられている。
【００８３】
肉厚部２７８の下には、長円形状の板状のフランジ部２８１が延びており、該フランジ部は、指部２０２が本体２０３に挿入されたとき、本体２０３の表面２２６に当接する。フランジ部２８１に関して部分２７８の反対の側から、指部２０２の残りの部分が延設されている。該部分は、同一形状をした２つの柱状部２８２を両側に有して概ね長円形に形成されている。柱状部２８２は、それぞれ矩形プレート部２９９に配置されている。該矩形プレート部は、フランジ部２８１に対して直角に同フランジ部２８１から指部２０２の先端部に延びている。
【００８４】
２つの柱状部２８２の間の部分は、フランジ部２８１から延びる第１ステージ部２８３、および、該第１ステージ部２８３から延びる第２ステージ部２８４となっている。
【００８５】
各柱状部２８２は、フランジ部２８１から始まる半切頭円錐形状の外側表面２８５を有している。該外側表面は、足部２０３の半切頭円錐部分２７１の内側表面に略一致する形状を有している。外側表面２８５には半円筒状表面が連結されており、半円筒状表面は該第１ビード部２８６まで延在している。先端部へ向けて更に半環状リブ２８７が設けられており、更に、先端部には第２ビード部２８８が形成されている。
【００８６】
脚部２３１は補強部２４７を有している。該補強部は、ブレース部材２３３の二つの側面２５０間の中央に位置している。
【００８７】
第１ステージ部２８３は、正中平面２９０の両側に設けられた２つの同一な半ステージ部を含む。また２つの柱状部２８２は、前記正中面に対して鏡像になっている。各半ステージ部は矩形の空所２９１を有しており、該空所は平面２９０および第２ステージ部２８４に隣接する小さな陥凹部２９２を有している。空所２９１は２つの開口部２９３、２９４によって外部に通じている。開口部２９３の幅は駆動レバー２７６の幅と同一となっている。開口部２９４は開口部２９３より広いが、ブレース部材２３３より狭くなっている。これらの高さについては、開口部２９４の高さが空所２９１の一般的な高さに相当する一方、開口部２９３は陥凹部２９２の近傍に延びて一層高くなっている。第１ステージ部２８３の１つの面において、１つの半ステージ部の開口部２９３と、他方の半ステージ部の開口部２９４とが並んで延在している。
【００８８】
第２ステージ部２８４は段付き形状の壁２９５を含み、その返し部が平面２９０に位置している。前記返し部の両側において、壁２９５の２つの小壁部分は平面２９０に対して直角に配置されている。前記返し部の高さはプレート部２９９の幅より小さくなっており、小壁部分２９５がプレート部２９９の全体寸法に対しやや後退して位置するようになっている。
【００８９】
図１６に示すような角度から指部２０２を観察すると、壁２９５の観察側から遠い方の小壁部分が開口部２９４の下方に位置し、一方で観察側から近い方の小壁部分２９５は開口部２９３の下方に位置している。
【００９０】
脚部２３１は、プレート部２９９と、壁２９５の小壁部分の一方と、壁２９５の２つの小壁部分の間の返し部とによって画成される凹所内に配置される。
【００９１】
以下、留め具２０１の使用方法について述べる。
指部２０２を本体２０３に挿入するとき、まずビード部２８８と第２ステージ部２８４とを中空部２２７に入れる。段付き形状の輪郭のために、ブレース部材２３３には当初抵抗が掛からず、脚部２３１は退避位置に維持される。押し込むと、ビード部２８８が半切頭円錐部分の内側表面に接触する。更に押し込むと、タブ２７３がビード部２８８の圧力により変形して、前記ビード部が半切頭円錐部分２７１の下を通過し、その結果、指部２０２は、脚部２３１が退避位置にある本体２０３と係合前位置でスナップ係合する。この位置において、ブレース部材２３３の端面２４６は、ステージ部２８３、２８４の間の壁から離間している（図１８）。
【００９２】
指部２０２を更に押し込むと、リブ２８７が半切頭円錐部分２７１を押圧してタブ２７３を変形させ、リブ２８７がタブ２７３の下を通過する。同時に、ステージ部２８３、２８４の間の壁、より具体的には、該壁の第２ステージ部２８４に隣接する表面がブレース部材２３３の表面２４６に接触し、脚部２３１を押圧してヒンジ部２３４を中心に９０°揺動させる。
【００９３】
この揺動動作の間、レバー２７６の端部は、脚部２３１がヒンジ部２３４を中心とした揺動動作を阻害しない。と言うのは、このとき、該端部は、開口部２９３によって形成される空所２９１に直接進入するからである。
【００９４】
指部２０２を更に挿入すると、ビード部２８６が半切頭円錐部分２７１の内側表面と接触し、ビード部２８８の場合と同様にスナップ係合する。
【００９５】
この段階で脚部２３１は伸張位置となる。部分２８５の外側表面が部分２７１の内側表面に接触するまで指部２０２を挿入する。すると、ステージ部２８３、ステージ部２８４に隣接するフランジ部２８１の表面が本体２０３の端面２２６と接触する。
【００９６】
前述した留め具とは対照的に、ここでは指部の端面と端面２２８とは面一とならない。
また留め具１を取り外すことも可能である。指部２０２を引くと、指部は前述した挿入方向とは反対の抜き取り方向に駆動される。脚部２３１は伸張位置にある。
【００９７】
ビード部２８６およびリブ２８７は対称な傾斜を有しており、ビード部２８６およびリブ２８７は、既述した方向とは反対方向にタブ２７３の通過を許容するようになっている。脚部２３１については、駆動レバー２７６が、空所２９１の裏側、より具体的には陥凹部２９２の裏側に到達すると、陥凹部の裏側がレバー２７６の端部を押し該レバーが揺動し、それに伴い脚部２３１全体が揺動できるようになっている。この揺動は、ブレース部材２３３の先端部２４５が既に第２ステージ部２８４に隣接して位置しているため可能になる。
【００９８】
こうして、脚部２３１は９０°揺動して退避位置に戻ることができる。ブレース部材２３３の先端部２４５は壁２９５の小壁部分の一方に接触し、抜き取り力が作用し続けると、この接触によってこすれが生じる。該こすれによって、脚部２３１は完全な退避位置に位置できるとともに、退避位置に戻る前の伸張位置における弛緩も除去できる。
【００９９】
一方ビード部２８８は抜き取り方向への勾配を有していないため、原理上、指部２０２を本体２０３から完全に抜き取ることはできず、タブ２７３がビード部２８８を止めたままの状態となる。
該留め具はパネルの開口部を通じてパネルに再装着可能である。
【０１００】
図２１を参照して上記実施形態の更に他の変形例について述べる。この変形例では、図１３〜図２０に示した留め具と同様の構成要素に１００を加えた参照番号をつけて参照を行う。
【０１０１】
留め具３０１は指部３０２を具備する。この指部は、頭部３７７と、フランジ部３８１と、空所３９１および各空所３９１に対し２つの開口部３９３、３９４を設けた第１ステージ部３８３と、第２ステージ部３８４と、第１および第２ステージ部３８３、３８４の両側の柱状部３８２とを有する点で指部２０２と類似している。
【０１０２】
第２ステージ部３８４もまた段付き形状となっているが、該変形例では壁３９５の２つの小壁部分には穴が形成されている。該小壁部分は、返し部を形成する壁と柱状部２８２との間に設けられた指部３０２の先端支持部と、矩形開口部内に配置され第１ステージ部へ向けて延設された矩形突出部から成る。柱状部３８２は、第１ステージ部３８３に相当する領域内で直線状の半円筒形となっているが、その高さ方向に実質的な全域にわたって三角形断面のくぼみが形成されている。
【０１０３】
第２ステージ部３８４では、前記柱状部は、足部３８２の先端方向に断面が漸減する半切頭円錐形の外側表面を有している。該外側表面には、２つの円形スタッド３９６が設けられている。これらのスタッド３９６は柱状部３８２の外寸を越えてやや突き出ている。そして柱状部３８２の端部にビード部３８８が設けられている。
【０１０４】
本体３０３は側壁３７０を備えている。該側壁は、カラー部３３５から、支持部３３０、ヒンジ部３３４およびフラップ部３３２を加えた高さより高く延び、ヒンジ部３３４とフラップ部３３２とが該側壁の２つの窓の中に位置するようになっている。該窓の両側部には、スタッド３９６を受容する開口３９７がある。側壁３７０端部の断面は縮小され、切欠３７２が形成されており、本体３０３の先端部にある切頭円錐部分３７１を多少変形できるようになっている。
【０１０５】
上記の変形例によれば、指部３０２の挿入はスタッド３９６と開口３９７によって案内されることになる。更に指部３０２が行程の終端に達したときのみに、ビード部３８８が部分３７１に係合することにより指部３０２が本体３０３にスナップ係合する。
【０１０６】
図２３、２４を参照して、上記実施形態の更に他の変形例について述べる。これらの図では、同様の構成要素の参照番号には、末尾が同じで図２１、２２で示した留め具の参照番号に対し１００を、また図１３〜図２０で示した留め具の参照番号に対し２００を加えた番号で示されている。
【０１０７】
留め具４０１は、本体４０３を具備する。該本体は、本体２０３の全ての部材を有し、更に、内部に脚部４３１が配置される窓を形成する環状壁４７０を含む。また壁４７０は、タブ４７３が内部に延在する窓も有している。壁４７０は、先端へ向けて漸次小さくなる。該壁は４つの正方形の切欠部４９８を含み、これによってスナップ係合する際に必要な柔軟性が付与される。この本体４０３は本体２０３に相当するもので、本体３０３の壁３７０と同様の壁に沿って支持部が延びている。
【０１０８】
指部４０２は、指部３０２のステージ部３８３、３８４と同一の第１および第２ステージ部４８３、４８４を含む。柱状部４８２は柱状部２８２と同一である。
【０１０９】
本発明は記述および図示した実施形態に限定されるものではなく、全ての変形例とそれらの実施を網羅するものである。
【符号の説明】
【０１１０】
１    留め具
２    指部
３    本体
１０    肩部
２０    頭部
２１    足部
２６    表面
２７    中空部
３１    脚部
３２    フラップ部
３３    ブレース部材
３４    ヒンジ部
３５    カラー部
４５    先端部
４６    支承面
５１    パネル
５２    開口部
１０１    留め具
１０２    指部
１０３    本体
１２０    頭部
１２１    足部
１２６    表面
１２７    中空部
１３１    脚部
１３２    フラップ部
１３３    ブレース部材
１３４    ヒンジ部
１３５    カラー部
１３６    プレート部
１３８    返し部
１４５    先端部
１４６    支承面
１５１    パネル
１５２    開口部
１６０    歯
２０１    留め具
２０２    指部
２０３    本体
２２１    足部
２２７    中空部
２３１    脚部
２３２    フラップ部
２３３    ブレース部材
２３４    ヒンジ部
２３５    カラー部分
２４５    先端部
２４６    支承面
２７０    環状壁
２７６    レバー
２８８    ビード部
２９２    陥凹部
３０１    留め具
３０２    指部
３０３    本体
３２７    中空部
３３１    脚部
３３２    フラップ部
３３４    ヒンジ部
３３５    カラー部
３７０    環状壁
３７６    レバー
３８８    ビード部
３９２    陥凹部
３９６    スタッド
３９７    開口
４０１    留め具
４０２    指部
４０３    本体
４２７    中空部
４３１    脚部
４３２    フラップ部
４３４    ヒンジ部
４３５    カラー部
４７０    環状壁
４７６    レバー
４８８    ビード部
４９２    陥凹部
Ｐ    正中面
【図１】
2009545711.tif 000003
【図２】
2009545711.tif 000004
【図３】
2009545711.tif 000005
【図４】
2009545711.tif 000006
【図５】
2009545711.tif 000007
【図６】
2009545711.tif 000008
【図７】
2009545711.tif 000009
【図８】
2009545711.tif 000010
【図９】
2009545711.tif 000011
【図１０】
2009545711.tif 000012
【図１１】
2009545711.tif 000013
【図１２】
2009545711.tif 000014
【図１３】
2009545711.tif 000015
【図１４】
2009545711.tif 000016
【図１５】
2009545711.tif 000017
【図１６】
2009545711.tif 000018
【図１７】
2009545711.tif 000019
【図１８】
2009545711.tif 000020
【図１９】
2009545711.tif 000021
【図２０】
2009545711.tif 000022
【図２１】
2009545711.tif 000023
【図２２】
2009545711.tif 000024
【図２３】
2009545711.tif 000025
【図２４】
2009545711.tif 000026
【国際調査報告】
2009545711.tif 000027
2009545711.tif 000028